(57)【要約】【課題】設備の運転状態監視、エネルギー使用量監視、および保守情報管理を一体的に行う統合監視装置に入力される信号を処理すること。【解決手段】エネルギーを使用する設備の運転状態監視、エネルギー使用量監視、および保守情報管理を一体的に行う統合監視装置に入力される信号を処理するための装置１０であって、設備に備えられている各機器からの信号を、予め定めた規則に従って、物理量計測信号か、またはそれ以外の信号である非物理量計測信号かの何れかに分類する信号分類部１６と、物理量計測信号を対応する機器に関連付けて格納する物理量データベース１８と、非物理量計測信号を対応する機器に関連付けて格納する非物理量データベース２０とを備える。【選択図】      図１
2007215265.tif 000002
【特許請求の範囲】
【請求項１】
エネルギーを使用する設備の運転状態監視、エネルギー使用量監視、および保守情報管理を一体的に行う統合監視装置に入力される信号を処理する方法であって、
前記設備に備えられている各機器からの信号を、物理量計測信号か、またはそれ以外の信号である非物理量計測信号かの何れかに分類すること
を備えた方法。
【請求項２】
請求項１に記載の方法において、
外部から前記設備に供給されるエネルギー量および燃料量と、前記各機器に関連している物理量計測信号とに基づいて、前記各機器で消費されたエネルギー量と燃料量とを計算すること
を備えた方法。
【請求項３】
エネルギーを使用する設備の運転状態監視、エネルギー使用量監視、および保守情報管理を一体的に行う統合監視装置に入力される信号を処理するプログラムであって、
前記設備に備えられている各機器からの信号を、予め定めた規則に従って、物理量計測信号か、またはそれ以外の信号である非物理量計測信号かの何れかに分類する機能、
前記物理量計測信号を、対応する機器に関連付けて第１のデータベースに格納させる機能、
前記非物理量計測信号を、対応する機器に関連付けて第２のデータベースに格納させる機能
をコンピュータに実現させるためのコンピュータ読み取り可能なプログラム。
【請求項４】
請求項３に記載のプログラムにおいて、
外部から前記設備に供給されるエネルギー量および燃料量と、前記各機器に関連している物理量計測信号とに基づいて、前記各機器で消費された前記エネルギー量と前記燃料量とを計算させる機能
を更にコンピュータに実現させるためのコンピュータ読み取り可能なプログラム。
【請求項５】
エネルギーを使用する設備の運転状態監視、エネルギー使用量監視、および保守情報管理を一体的に行う統合監視装置に入力される信号を処理するための装置であって、
前記設備に備えられている各機器からの信号を、予め定めた規則に従って、物理量計測信号か、またはそれ以外の信号である非物理量計測信号かの何れかに分類する手段と、
前記物理量計測信号を、対応する機器に関連付けて格納する第１のデータベースと、
前記非物理量計測信号を、対応する機器に関連付けて格納する第２のデータベースと
を備えた装置。
【請求項６】
請求項５に記載の装置において、
外部から前記設備に供給されるエネルギー量および燃料量と、前記各機器に関連している物理量計測信号とに基づいて、前記各機器で消費された前記エネルギー量と前記燃料量とを計算する手段を備えた装置。
【発明の詳細な説明】
【技術分野】
【０００１】
本発明は、例えばビル、工場、事業所等のようにエネルギーを使用する設備の運転状態監視、エネルギー使用量監視、および保守情報管理を一体的に行う統合監視装置に入力される信号を処理する方法、装置、およびプログラムに関する。
【背景技術】
【０００２】
近年、電力、ガス、水道、熱等のエネルギー管理を適切に行い、地球環境の保全に努めてゆこうという機運が高まっている。
【０００３】
例えば、このような機運の中制定された省エネ法によると、企業等の工場や事業所等で使用される電力の８０％が、具体的にどの機器によってどの程度使用されたのかを把握することが義務づけられている。
【０００４】
また、このような省エネ法による要求に関わらず、企業や団体等においても、コスト削減により合理化を達成するためには、省エネ計画を立案し、それに従ってコスト削減を推進する必要がある。
【０００５】
このようなコスト削減を実行するために、例えば、工場等の設備には、設備の監視、あるいは設備に設けられた各機器の監視のために流量計、温度計、電力量計、圧力計などの多くのセンサが設けられている。
【０００６】
例えば、流量計からは、状態監視用の信号である瞬時流量信号と、エネルギー使用量監視のための信号である積算流量信号との２種類の物理量信号が得られるが、瞬時流量信号は状態監視システムに入力され、積算流量信号はエネルギー使用量監視システムに入力されている。
【０００７】
電力計からは、状態監視用の信号である有効電力信号、無効電力信号、および電圧信号と、エネルギー使用量監視のための信号である有効電力量信号および無効電力量信号とが得られ、同様に、状態監視用の信号は状態監視システムに入力され、エネルギー使用量監視用の信号はエネルギー使用量監視システムに入力されている。
【０００８】
そして、状態監視システムでは、これら状態監視用の信号に基づいて、設備あるいは機器個別の状態監視が、エネルギー使用量監視システムでは、これらエネルギー使用量監視用の信号に基づいて、設備あるいは機器個別の状態監視が、それぞれ独立して行われている。
【特許文献１】特願２００３−１１４８９１号
【発明の開示】
【発明が解決しようとする課題】
【０００９】
上述したように、従来は、同一のセンサからの信号であっても、状態監視用の信号は状態監視システムに、エネルギー使用量監視用の信号はエネルギー使用量監視システムにそれぞれ取り込まれ、それぞれの監視が独立して行われている。
【００１０】
このような従来の方法では、以下のような問題がある。
【００１１】
すなわち、状態監視システムと、エネルギー使用量監視システムとがそれぞれ独立したシステムとなっているが故に、各センサから得られる信号の処理方法もそれぞれ異なっており、相互のインタフェースは取られていないのが現状である。
【００１２】
たとえば、例えば、センサから○、△、□の３つのデータが取得される場合、状態監視システムでは、○、△、□を合わせて１つのデータとして使用している一方、エネルギー使用量監視システムでは、△、□を合わせて１つのデータとして使用しているかもしれない。
【００１３】
したがって、設備や機器の条件に変更がない場合は特に不都合はないにせよ、一旦機器の増設や削減、あるいは設備の構成条件の変更、更には新たな監視項目の追加があった場合、それぞれのシステム毎に、それぞれのシステムの仕様に合った条件で信号が入力されるように信号取り込みラインを結線しなければならず、多大な労力と時間とを要してしまうことは避けられない。また、場合によっては、両方のシステムにそれぞれ結線しなければならない箇所もあるために、無駄な設備対応を強いられることも避けられない。
【００１４】
したがって、設備の状態監視、エネルギー使用量監視、あるいは保守情報管理等の複数の管理・監視システムの機能を全て統合して一体的に備えた統合監視装置によって管理するようにすれば、機器の増設や削減、あるいは設備の構成条件の変更、更には新たな監視項目の追加があった場合であっても、信号取り込みラインもこのシステムにのみ結線すればよいので、その作業の労力、時間ともに大幅に軽減され、汎用性および柔軟性が大幅に改善される。
【００１５】
本発明はこのようなことを念頭になされたものであり、例えばビル、工場、事業所等のようにエネルギーを使用する設備の運転状態監視、エネルギー使用量監視、および保守情報管理を一体的に行う統合監視装置に入力される信号を処理するための信号処理方法、装置、およびプログラムを提供することを目的とする。
【課題を解決するための手段】
【００１６】
上記の目的を達成するために、本発明では、以下のような手段を講じる。
【００１７】
すなわち、本発明は、エネルギーを使用する設備の運転状態監視、エネルギー使用量監視、および保守情報管理を一体的に行う統合監視装置に入力される信号を処理する技術であって、設備に備えられている各機器からの信号を、物理量計測信号か、またはそれ以外の信号である非物理量計測信号かの何れかに分類する。
【００１８】
そして、各物理量計測信号を、対応する機器に関連付けて第１のデータベースに格納し、各非物理量計測信号を、対応する機器に関連付けて第２のデータベースに格納する。
【００１９】
更に、外部から設備に供給されるエネルギー量および燃料量と、第１のデータベースに格納されている各機器に関連している物理量計測信号とに基づいて、各機器で消費されたエネルギー量と燃料量とを計算する。
【発明の効果】
【００２０】
本発明によって、例えばビル、工場、事業所等のようにエネルギーを使用する設備の運転状態監視、エネルギー使用量監視、および保守情報管理を一体的に行う統合監視装置に入力される信号を処理することが可能となる。
【００２１】
したがって、この処理された信号を統合監視装置に入力することによって、設備の状態監視、エネルギー使用量監視、あるいは保守情報管理等の複数の管理・監視システムの機能を全てこの統合監視装置によって管理できるようになる。
【００２２】
これによって、機器の増設や削減、あるいは設備の構成条件の変更、更には新たな監視項目の追加があった場合であっても、信号取り込みラインもこのシステムにのみ結線すればよくなるので、その作業の労力、時間ともに大幅に軽減され、汎用性および柔軟性が大幅に改善されるようになる。
【発明を実施するための最良の形態】
【００２３】
以下に、本発明を実施するための最良の形態について図面を参照しながら説明する。
【００２４】
すなわち、本発明の実施の形態に係る信号処理方法は、例えばビル、工場、事業所等のようにエネルギーを使用する設備の運転状態監視、エネルギー使用量監視、および保守情報管理を一体的に行う統合監視システムに入力される信号を処理する方法である。
【００２５】
図１に、このような信号処理方法を適用した信号処理装置の機能ブロック図の一例を示す。
【００２６】
すなわち、この信号処理装置１０は、信号取得部１２と、信号情報データベース１４と、信号分類部１６と、物理量データベース１８と、非物理量データベース２０と、配線・配管構造登録部２１と、配線・配管構造データベース２２と、データレコード種別データベース２４と、データレコード設定部２６と、エネルギー量／燃料量計算部２８と、管理画面表示部２９とを備えている。
【００２７】
信号取得部１２は、統合監視システムの監視対象である設備内の機器や配管等に設けられた多数のセンサから送られる計測信号を取得する。これら計測信号は、上述したように、運転状態監視に用いられるものもあれば、エネルギー使用量監視に用いられるものもある。図１では、これらセンサとして、代表的に電力計３０、流量計３２、湿度計３４、温度計３６、および圧力計３８を示している。
【００２８】
また、この設備内の機器や配管等からは、接点信号４０やアナログ信号４２をも出力される。これら信号は、運転状態監視に用いられるものもあれば、保守情報を把握するために用いられるものもある。
【００２９】
信号取得部１２は、センサからの計測信号のみならず、このような接点信号４０やアナログ信号４２も含め、監視対象である設備からの全ての信号を取得する。そして、取得した情報を、一旦、信号情報データベース１４に書き込む。
【００３０】
信号分類部１６は、信号情報データベース１４に書き込まれた情報を、信号取得部１２を介して取得する。そして、取得した情報を、物理量計測信号に起因する情報か、またはそれ以外の信号である非物理量計測信号に起因する情報かの何れかに分類する。具体的には、センサからの計測信号を物理量計測信号とし、接点信号４０やアナログ信号４２を非物理量計測信号として分類する。そして、物理量計測信号に対応する物理量計測情報を、対応する機器（例えば電力計３０、流量計３２、湿度計３４、温度計３６、圧力計３８等）に関連付けて物理量データベース１８へ、非物理量計測信号に対応する非物理量計測情報を、対応する機器（接点信号４０の発信元の機器、アナログ信号４２の発信元の機器）に関連付けて非物理量データベース２０へとそれぞれ書き込む。
【００３１】
図２は、物理量データベース１８のデータ構造の一例を示す図であり、各データレコードは、機器、データ項目、データ種別、単位、値からなっている。データ種別とは、アナログ入力（ＡＩ）であるか、デジタル入力（ＤＩ）であるか、パルス入力（ＰＩ）であるかを示している。データ項目および値は、各センサから出力されるデータ項目および値に対応している。
【００３２】
図３は、非物理量データベース２０のデータ構造の一例を示す図であり、各データレコードは、機器、データ項目、データ種別、値からなっている。データ項目は、各機器から出力される運転状態信号や、保守点検時に得られた保守状態信号である。データ種別がＤＩである場合には値は、「０」または「１」となる。運転状態信号が「０」である場合は、当該機器が運転していないことを、「１」である場合は運転していることを示している。保守状態信号が「０」である場合は、保守点検結果で異常が発見されたことを、「１」である場合は異常が発見されなかったことを示している。
【００３３】
配線・配管構造登録部２１は、設備内の電気配線や配管の接続関係情報に基づいて、これら電気配線や配管に設けられた各機器のエネルギー使用量を計算するための計算式を決定し、決定した計算式を、対応する機器に関連付けて配線・配管構造データベース２２に登録する。なお、エネルギー使用量として、電力使用量を計算するための計算式としては、例えば特願２００３−１１４８９１号（特許文献１）に記載されているようなものを用いる。
【００３４】
配線・配管構造データベース２２は、配線・配管構造登録部２１によって登録された各機器毎の計算式を、対応する機器に関連付けて記憶する。
【００３５】
データレコード種別データベース２４は、物理量データベース１８に確保するデータレコードの定義情報を格納したデータベースであり、データレコード設定部２６は、データレコード種別データベース２４に格納された定義情報に基づいて、物理量データベース１８に新たなデータレコードを追加する。図４は、新たなデータレコードが追加された物理量データベース１８の一例を示している。図２と比較して、冷却塔の電力使用量というデータレコードが新たに追加されている。
【００３６】
エネルギー量／燃料量計算部２８は、各機器に関連付けて記憶されている計算式を、配線・配管構造データベース２２から取得する。そして、この計算式の計算に必要な物理量計測情報を、物理量データベース１８から取得し、前記計算式に代入することによって、機器毎の使用エネルギー量を計算する。そして、その結果を、物理量データベース１８における対応する機器のデータレコードに書き込む。図５は、電力使用量として計算された５０００Ｗｈがデータレコードに書き込まれた物理量データベース１８の一例を示している。
【００３７】
また、エネルギー量／燃料量計算部２８は、エネルギー量の計算のみならず、配線・配管構造データベース２２に様々な計算式を適宜追加登録しておくことによって、様々な追加計算を行うことも可能としている。例えば、ボイラーのように、外部から燃料が供給される機器によって消費された燃料量を計算することも可能である。そして、このようにして計算された結果を、データレコード設定部２６によって設定され、物理量データベース１８に確保されたデータレコードに書き込む。物理量データベース１８に対応するデータレコードが確保されていない場合には、データレコード設定部２６から、物理量データベース１８に新たなデータレコードを追加することによって、新たな計算項目が発生した場合であっても、その計算結果を、物理量データベース１８に適宜追加書き込みできるようにしている。
【００３８】
管理画面表示部２９は、物理量データベース１８に書き込まれているデータ、非物理量データベース２０に書き込まれているデータ、および配線・配管構造データベース２２に書き込まれているデータを用いて、該設備の管理画面を作成し、表示する。このような管理画面の例を図６乃至図９に示す。図６は運転状態監視用画面、図７は保守情報管理用画面、図８はエネルギー使用量監視用画面、および図９はこれら全てを監視するための画面のそれぞれ表示例である。
【００３９】
図６乃至図９は、一例として、ターボ冷凍機５１と、冷水槽５３と、冷水ポンプ５４と、冷却塔５９と、冷却水ポンプ６１と、バイパス弁６３とを備えた温度調整設備を対象として表示した画面である。この温度調整設備は、更にセンサとして、温度計５２、流量計５５、温度計５６、温度計５７、流量計５８、流量計６０、温度計６２、電力量計６４〜６７を備えている。
【００４０】
このような温度調整設備を対象として図６に示すような運転状態監視用画面を表示するためには、まず、運転状態監視に必要な信号の総数を把握しておき、それをＤＩ、ＡＩ、ＰＩに分類し、それぞれの点数の情報を取り込むのに必要な数だけのＤＩ基板、ＡＩ基板、ＰＩ基板を管理画面表示部２９に備え、配線・配管構造を配線・配管構造データベース２２から取り込むとともに、対応するデータを物理量データベース１８から取り込み、これらを合わせて表示することによって行う。
【００４１】
また、図７に示すような保守情報管理用画面を表示するためには、配線・配管構造を配線・配管構造データベース２２から取り込むとともに、対応するデータを非物理量データベース２０から取り込み、これらを合わせて表示することによって行う。
【００４２】
更に、図８に示すようなエネルギー使用量監視画面を表示するためには、配線・配管構造を配線・配管構造データベース２２から取り込むとともに、エネルギー量／燃料量計算部２８によって計算されたデータを物理量データベース１８から取り込み、これらを合わせて表示することによって行う。
【００４３】
更にまた、図９に示すような画面を作成するためには、図６乃至図８の表示のために取り込んだ情報を全て用いて作成する。
【００４４】
上述したような信号処理装置１０は、例えば磁気ディスク等の記憶媒体に記憶されたプログラムや、インターネット等の通信ネットワークを介してダウンロードしたプログラムを読み込み、このプログラムによって動作が制御されるコンピュータによって実現される。
【００４５】
次に、以上のように構成した同実施の形態に係る信号処理方法を適用した信号処理装置１０の動作について説明する。
【００４６】
統合監視システムの監視対象である設備内の機器や配管等には、電力計３０、流量計３２、湿度計３４、温度計３６、圧力計３８のような多数のセンサが設けられている。これらセンサによって計測された計測信号は、信号取得部１２によって取得される。これら計測信号は、上述したように、運転状態監視に用いられるものもあれば、エネルギー使用量監視に用いられるものもある。
【００４７】
また、この設備内の機器や配管等からは、接点信号４０やアナログ信号４２をも出力される。これら信号は、運転状態監視に用いられるものもあれば、保守情報を把握するために用いられるものもある。これらの信号もまた信号取得部１２によって取得される。
【００４８】
このようにして信号取得部１２によって取得された信号情報は、一旦、信号情報データベース１４に書き込まれる。
【００４９】
このようにして信号情報データベース１４に書き込まれた信号情報は、信号分類部１６によって、物理量計測信号に起因する情報か、またはそれ以外の信号である非物理量計測信号に起因する情報かの何れかに分類される。具体的には、センサからの計測信号が物理量計測信号として、接点信号４０やアナログ信号４２が非物理量計測信号として分類される。
【００５０】
そして、物理量計測信号に対応する物理量計測情報が、対応する機器（例えば電力計３０、流量計３２、湿度計３４、温度計３６、圧力計３８等）に関連付けられて物理量データベース１８へ、非物理量計測信号に対応する非物理量計測情報が、対応する機器（接点信号４０の発信元の機器、アナログ信号４２の発信元の機器）に関連付けられて非物理量データベース２０へとそれぞれ書き込まれる。
【００５１】
また、配線・配管構造登録部２１では、設備内の電気配線や配管の接続関係情報に基づいて、これら電気配線や配管に設けられた各機器のエネルギー使用量を計算するための計算式が決定され、決定された計算式が、対応する機器に関連付けられて配線・配管構造データベース２２に登録される。
【００５２】
更に、データレコード設定部２６によって、データレコード種別データベース２４に格納された定義情報に基づいて、物理量データベース１８に新たなデータレコードが追加される。図４は、新たなデータレコードが追加された物理量データベース１８の一例を示している。図２と比較して、冷却塔の電力使用量というデータレコードが新たに追加されている。
【００５３】
エネルギー量／燃料量計算部２８では、各機器に関連付けて記憶されている計算式が、配線・配管構造データベース２２から取得される。そして、この計算式の計算に必要な物理量計測情報が、物理量データベース１８から取得され、前記計算式に代入されることによって、機器毎の使用エネルギー量が計算される。そして、その結果が、物理量データベース１８における対応する機器のデータレコードに書き込まれる。図５は、電力使用量として計算された５０００Ｗｈがデータレコードに書き込まれた物理量データベース１８の一例を示している。
【００５４】
また、エネルギー量／燃料量計算部２８では、エネルギー量の計算のみならず、配線・配管構造データベース２２に様々な計算式を適宜追加登録しておくことによって、様々な追加計算もなされる。例えば、ボイラーのように、外部から燃料が供給される機器によって消費された燃料量の計算もなされる。そして、このようにして計算された結果が、データレコード設定部２６によって設定され、物理量データベース１８に確保されたデータレコードに書き込まれる。物理量データベース１８に対応するデータレコードが確保されていない場合には、データレコード設定部２６から、物理量データベース１８に新たなデータレコードを追加することによって、新たな計算項目が発生した場合であっても、その計算結果が、物理量データベース１８に適宜追加書き込みされる。
【００５５】
管理画面表示部２９では、物理量データベース１８に書き込まれているデータ、非物理量データベース２０に書き込まれているデータ、および配線・配管構造データベース２２に書き込まれているデータを用いて、該設備の管理画面が表示される。
【００５６】
図６乃至図９は、一例として、ターボ冷凍機５１と、冷水槽５３と、冷水ポンプ５４と、冷却塔５９と、冷却水ポンプ６１と、バイパス弁６３とを備えた温度調整設備を対象とした運転状態監視用画面、保守情報管理用画面、エネルギー使用量監視、およびこれら全てを監視するための画面のそれぞれ表示例である。
【００５７】
図６に示すような運転状態監視用画面を表示するためには、まず、運転状態監視に必要な信号の総数を把握しておき、それをＤＩ、ＡＩ、ＰＩに分類し、それぞれの点数の情報を取り込むのに必要な数だけのＤＩ基板、ＡＩ基板、ＰＩ基板を管理画面表示部２９に備え、配線・配管構造を配線・配管構造データベース２２から取り込むとともに、対応するデータを物理量データベース１８から取り込み、これらを合わせて表示することによってなされる。
【００５８】
また、図７に示すような保守情報管理用画面を表示するためには、管理画面表示部２９によって、配線・配管構造を配線・配管構造データベース２２から取り込むとともに、対応するデータを非物理量データベース２０から取り込み、これらを合わせて表示することによってなされる。
【００５９】
更に、図８に示すようなエネルギー使用量監視画面を表示するためには、管理画面表示部２９によって、配線・配管構造を配線・配管構造データベース２２から取り込むとともに、エネルギー量／燃料量計算部２８によって計算されたデータを物理量データベース１８から取り込み、これらを合わせて表示することによってなされる。更にまた、図９に示すような画面を表示するためには、管理画面表示部２９によって、図６乃至図８の表示のために取り込んだ情報を全て用いて表示することによってなされる。
【００６０】
このように、物理量データベース１８、非物理量データベース２０、配線・配管構造データベース２２に必要なデータを格納しておくことによって、所望する管理画面を作成することができるようになる。必要なデータレコードが物理量データベース１８に無い場合には、データレコード設定部２６から登録することによって、データレコードを新たに設け、このデータレコードもまた管理画面から表示することができるので、機器の増設や削減、あるいは設備の構成条件の変更、更には新たな監視項目の追加があった場合でも、容易に対応することができる。
【００６１】
なお、同実施の形態に係る信号処理装置１０を動作させるプログラム（ソフトウェア手段）は、計算機（コンピュータ）に実行させることができるものであって、例えば磁気ディスク（フロッピー（登録商標）ディスク、ハードディスク等）、光ディスク（ＣＤ−ＲＯＭ、ＤＶＤ等）、半導体メモリ等の記憶媒体に格納し、またインターネット等の通信媒体により伝送して頒布することもできる。
【００６２】
記憶媒体に格納されるプログラムは、計算機に実行させるソフトウェア手段（実行プログラムのみならずテーブルやデータ構造も含む）を計算機内に構成させる設定プログラムをも含む。
【００６３】
本プログラムは、記憶媒体から、あるいは通信媒体から計算機に読み込まれると、この計算機を動作させることによって上述した処理を実行させる。
【００６４】
上述したように、同実施の形態に係る信号処理方法を適用した信号処理装置１０においては、上記のような作用により、例えばビル、工場、事業所等のようにエネルギーを使用する設備の運転状態監視、エネルギー使用量監視、および保守情報管理を一体的に行う統合監視装置に入力される信号を処理することが可能となる。
【００６５】
したがって、この処理された信号を統合監視装置に入力することによって、設備の状態監視、エネルギー使用量監視、あるいは保守情報管理等の複数の管理・監視システムの機能を全てこの統合監視装置によって管理できるようになる。
【００６６】
これによって、機器の増設や削減、あるいは設備の構成条件の変更、更には新たな監視項目の追加があった場合であっても、信号取り込みラインもこのシステムにのみ結線すればよくなるので、その作業の労力、時間ともに大幅に軽減され、汎用性および柔軟性を大幅に改善することが可能となる。
【００６７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００６８】
【図１】本発明の実施の形態に係る信号処理方法を適用した信号処理装置の一例を示す機能ブロック図。
【図２】物理量データベースのデータ構造の一例を示す図。
【図３】非物理量データベースのデータ構造の一例を示す図。
【図４】新たなデータレコードが追加された物理量データベースの一例を示す図。
【図５】電力使用量として計算された値がデータレコードに書き込まれた物理量データベースの一例を示す図。
【図６】運転状態監視用画面の表示例を示す模式図。
【図７】保守情報管理用画面の表示例を示す模式図。
【図８】エネルギー使用量監視用画面の表示例を示す模式図。
【図９】運転状態監視用画面、保守情報管理用画面、およびエネルギー使用量監視用画面を合わせた画面の表示例を示す模式図。
【符号の説明】
【００６９】
１０…信号処理装置、１２…信号取得部、１４…信号情報データベース、１６…信号分類部、１８…物理量データベース、２０…非物理量データベース、２１…配線・配管構造登録部、２２…配線・配管構造データベース、２４…データレコード種別データベース、２６…データレコード設定部、２８…エネルギー量／燃料量計算部、２９…管理画面表示部、３０…電力計、３２…流量計、３４…湿度計、３６…温度計、３８…圧力計、４０…接点信号、４２…アナログ信号、５１…ターボ冷凍機、５２…温度計、５３…冷水槽、５４…冷水ポンプ、５５…流量計、５６…温度計、５７…温度計、５８…流量計、５９…冷却塔、６０…流量計、６１…冷却水ポンプ、６２…温度計、６３…バイパス弁、６４〜６７…電力量計
【図１】
2007215265.tif 000003
【図２】
2007215265.tif 000004
【図３】
2007215265.tif 000005
【図４】
2007215265.tif 000006
【図５】
2007215265.tif 000007
【図６】
2007215265.tif 000008
【図７】
2007215265.tif 000009
【図８】
2007215265.tif 000010
【図９】
2007215265.tif 000011